(57)【要約】【課題】  乳房カップにおける表カップ材と裏カップ材との間にワイヤーを内包したワイヤーループを挟設して一体的にモールド加工することにより、ワイヤーを止着するための縫目がないために外衣に悪影響を及ぼすことがなく、またワイヤーを内蔵させ、且つカップ部と土台部を一体化することにより、肌触りが良く、外観が滑らかでソフトさやが十分に発揮できるようにしたものである。【解決手段】  表カップ材と裏カップ材との間にワイヤーを内包したワイヤーループを挟設して一体的にモールド加工することにより、ワイヤーの挟設部分が肌側に凸状に突出するような欠点が解消され、更にカップ部と土台部の素材を連続した一枚の素材で形成することにより、従来のようなワイヤー縫着部位と土台部間の段差が生じることもなく、スマートなカップ体が得られると共に、肌触りが良好で着用感や外観に優れた効果が十分に発揮されるようにしたものである。【選択図】図３
2006045713.tif 000002
【特許請求の範囲】
【請求項１】
少なくとも乳房カップとこのカップを支える土台部よりなるカップ体において、前記カップ体が少なくとも表カップ材及び裏カップ材より構成され、前記表カップ材と裏カップ材との間にワイヤーを内包したワイヤーループを挟設して、熱圧着によりモールド加工して一体化してなることを特徴とするカップ体及びこのカップ体を使用した衣類。
【請求項２】
前記カップ体を構成する表裏カップ材の間にワイヤーループを収容するようスリット状孔を設けた中間カップ材を挟設したことを特徴とする請求項１に該当するカップ体及びこのカップ体を使用した衣類。
【請求項３】
表側カップ材及び裏側カップ材がポリウレタンフォームよりなることを特徴とする請求項１から請求項２に該当するカップ体及びこのカップ体を使用した衣類。
【請求項４】
カップ体内側のワイヤーループ挟設部の肌側が平坦であることを特徴とする請求項１から請求項３に該当するカップ体及びこのカップ体を使用した衣類。
【発明の詳細な説明】
【技術分野】
【０００１】
本発明は、乳房カップにおける表カップ材と裏カップ材との間にワイヤーを内包したワイヤーループを挟設してモールド加工したもので、ワイヤーを止着するための縫目がないために外衣に悪影響を及ぼすことがなく、またワイヤーを内蔵させ、且つカップ部と土台部を一体化することにより、肌触りが良く、外観が滑らかでソフトさが十分に発揮できるようにしたカップ体に関するものである。
【背景技術】
【０００２】
従来のブラジャーのカップ体にワイヤーを設ける場合は、ワイヤー入りの筒状生地をカップ部の内側周辺部に直接縫着したときは、ワイヤーの縫着部分が肌側に凸状に突出した状態にあり、従ってブラジャーを着用したときは、肌触りが悪く、また圧迫感を感じ、着用感を損なう欠点があった。
【０００３】
またワイヤーの縫着部位と土台部の境界部は、段差状になっているために外観が悪く、更にブラジャーの上に外衣を着用した場合は、ワイヤーの縫着部位のラインが外部にはっきりと表れ、着用感を損なう欠点があった。
【０００４】
【特許文献１】特許第２９３６０７０号公報
【発明の開示】
【発明が解決しようとする課題】
【０００５】
解決しようとする問題点は、ワイヤー入りの筒状生地をカップ部の内側周辺部に直接縫着したときは、ワイヤーの縫着部分が肌側に凸状に突出した状態にあるためにブラジャーを着用したときは、肌触りが悪く、着用感を損なう欠点があり、更にワイヤーの縫着部位と土台部の境界部が、段差状になっているために外観が悪く、外衣を着用した場合は、ワイヤーの縫着部位のラインが外部にはっきりと表れ、優れた着用感や外観が十分に発揮されていない点である。
【課題を解決するための手段】
【０００６】
本発明は、少なくとも乳房カップとこのカップを支える土台部よりなるカップ体において、前記カップ体が少なくとも表カップ材及び裏カップ材より構成され、前記表カップ材と裏カップ材との間にワイヤーを内包したワイヤーループを挟設して、熱圧着によりモールド加工して一体化することにより、従来のようなワイヤーの縫着ラインが無くなることにより、肌触りがソフトでフィット性に優れたカップ体が得られるように構成したことを最も主要な特徴とする。
【０００７】
カップ体を構成する表裏カップ材の間にワイヤーループを収容するようスリット状孔を設けた中間カップ材を挟設したことにより、ワイヤーループの突出がなくなってバストへの圧迫感が解消され、且つ外衣着用時の縫着ラインが表出することがなくなって、肌触りやソフト感、外観等が向上し、品質や品位の優れたカップ体が得られるように構成したことを主要な特徴とする。
【発明の効果】
【０００８】
本発明は、少なくとも乳房カップとこのカップを支える土台部よりなるカップ体において、前記カップ体が少なくとも表カップ材及び裏カップ材より構成され、前記表カップ材と裏カップ材との間にワイヤーを内包したワイヤーループを挟設して、熱圧着によりモールド加工して一体化することにより、従来のようなワイヤーの縫着ラインが無くなって肌触りやソフト感、フィット性等に優れたカップ体が得られ、更にカップ部と土台部を一体化して形成したことにより、着用感や外観に優れたカップ体が得られるのである。
【発明を実施するための最良の形態】
【０００９】
本発明は、表カップ材と裏カップ材との間にワイヤーを内包したワイヤーループを挟設して、熱圧着によりモールド加工して一体化することにより、肌触りやソフト感、フィット性、更には着用感や外観等に優れたカップ体が得られるようにしたものである。
【実施例１】
【００１０】
図１〜図４において１はブラジャーで、２はカップ部、３は表側カップ部材、４は裏側カップ部材、５は土台部、９はワイヤーで合成繊維の編物地による袋状の筒状生地１０内に挿入してあり、１１は表側装飾用生地、１２は後身用ベルト、１４、１５は夫々後身用ベルト１２に設けた周知の係止用フック、１６は後身用ベルト１２に設けた周知の肩紐用係止具である。尚、表側カップ部材３と表側土台部７とを一体化成型して表側カップ体１８が形成されるようにしてある。同様に裏側カップ部材４と裏側土台部８とを一体化成型して裏側カップ体２０が形成されるようにしてある。尚、ワイヤー９近辺、即ち肌側の土台部８は、略垂直状に形成されているので、ワイヤー９部分の肌触りが滑らかで着用感が向上するように構成されている。
【００１１】
次いで上記カップ部２を熱成型により、モールド加工する手段について述べると、先ず表側カップ体１８及び裏側カップ体２０を夫々成型加工するための素材として
適宜の硬質ポリウレタンフォーム（厚さが７ｍｍ、密度が２３ｋｇ／立方メートル）の表裏面上にポリエステル系合成繊維による薄生地のラッセル編地をラミネートした素材を夫々準備しておく。次いで同素材を夫々平坦状で、且つカップ部と土台部が一体化された形状に裁断することにより、図４の如く表側カップ体１８と裏側カップ体２０用の素材が得られるのである。
【００１２】
次いで表側カップ体１８と裏側カップ体２０用の裁断生地の中間位置にワイヤー９の挿入された筒状生地１０を位置させ（図３参照）、且つ挟持した状態で、一体的にモールド加工（熱成型加工）を行うことにより、表側カップ体１８と裏側カップ体２０がラミネートされた成型体１９が得られるのである。次いで表側カップ体１８並びに裏側カップ体２０の素材よりも周辺部の大きさを若干大きくしたポリエステル系合成繊維による表側装飾用生地１１を図４の如く準備しておく。次いで同生地１１をカップ部及び土台部の一体化された形状にモールド加工し、更に同表側装飾用生地１１の上下縁部をカップ部２（成型体１９）の裏面側に折り返して裏側カップ部材４の裏面側上縁部及び裏側土台部８の下縁部に熱接着２２、２３して固定しておくのである。
【００１３】
次いで土台部５、５の左右端部に夫々周知の手段により、後身用ベルト１２、１２を適宜に接続縫着し、更にカップ部２及び後身用ベルト１２、１２の下方側縁部に伸縮性テープ地２５を一体化縫着２６し、更に後身用ベルト１２、１２の上方側縁部にも伸縮性テープ地２７を一体化縫着することにより、ブラジャー１が得られるのである。
【実施例２】
【００１４】
図５〜７図において、３０はブラジャーで、３２はカップ体、３５は表側カップ部材、３６は裏側カップ部材、３７は中間カップ部材、３８は表側装飾用生地、４０は土台部で４１、４２、５０は夫々表側、裏側カップ部材３５、３６及び中間カップ部材３７の土台部、３８は表側装飾用生地、４３はワイヤーで適宜の合成繊維製の袋状生地４５内に挿入してあり、且つ中間カップ部材３７の土台部５０の下方周辺部にスリット状孔（円弧状切溝）４６を設け、同切溝内に前記袋状入りワイヤー４３を挿入、支持するようにしてある。尚、表側カップ部材３５と土台部４１、裏側カップ部材３６と土台部４２、並びに中間カップ部材３７と土台部５０を夫々一体化成型して表側カップ体４７、裏側カップ体４８並びに中間カップ体４９が夫々形成されるようにしてある。尚、スリット状孔（円弧状切溝）４６近辺は前記の如く、略垂直状の土台部４２により形成されているので、ワイヤー４３部分の肌触りが滑らかで着用感が向上するように構成されている
【００１５】
次いで上記カップ部２を熱成型により、モールド加工する手段について述べると、先ず表側、裏側カップ体４７、４８並びに中間カップ体４９を夫々成型加工するための素材として適宜の硬質ポリウレタンフォーム（厚さが９ｍｍ、密度が２３ｋｇ／立方メートル）の表裏面にポリエステル系合成繊維による薄生地のラッセル編地をラミネートした素材を夫々準備し、且つカップ部並びに土台部の形状で、平坦状に裁断した素材を準備しておく。
【００１６】
次いで袋状生地４５内に挿入されたワイヤー４３を中間カップ体４９のスリット状孔４６内に支持した状態で表側カップ体４７と裏側カップ体４８の夫々の土台部４１、４２間で挟持し（図６参照）、周知の手段により、一体的にモールド加工（熱成型加工）を行うことにより、カップ部と土台部が一体化、成型されたカップ体３２が得られるのである。次いで表側カップ体４７或いは裏側カップ体４８用の素材よりも周辺部の大きさを大きくしたポリエステル系合成繊維による表側装飾用生地３８を図６の如く準備しておく。
【００１７】
次いで同生地３８をカップ及び土台部の形状にモールド加工してカップ部２の上下側縁部に適宜に熱接着４６、４７しておくことにより、ブラジャー３０のカップ体３２が得られるのである。
【実施例３】
【００１８】
図８〜１３図において、６０はブラジャー、６２はカップ体でカップ部６３と土台部８０から形成されており、６５は表側カップ部材でポリエステル系合成繊維による表側生地６６と硬質ポリウレタンフォーム（厚さが８ｍｍ、密度が２５ｋｇ／立方メートル）による表側部材６７とのラミネート体で形成されている。尚、同表側生地６６及び表側部材６７は夫々カップ部６８、６８と土台部８１、８１から一体的に形成されている。７０は裏側カップ部材でポリエステル系合成繊維による肌側生地７１と硬質ポリウレタンフォーム（厚さが８ｍｍ、密度が２５ｋｇ／立方メートル）による裏側部材７２とのラミネート体から形成されており、且つ同生地７１及び部材７２は夫々前記同様にカップ部８８、８８と土台部８２，８２から一体的に形成されている。
【００１９】
また７５、７６は夫々補強用中間カップ部材であり、７７はワイヤー支持用中間カップ部材で、同部材７５、７６及び７７は夫々カップ部７９及び土台部８９から形成されている。尚、前記各部材７５、７６、７７の中央下辺部に土台部８９、８９、８９が夫々形成されるようにしてあり、且つ同土台部８９は夫々略垂直状に形成されるようにしてある。７８は表側装飾用生地、８３はワイヤーで適宜の袋状生地８５内に挿入するようにしてある。尚、ワイヤー支持用中間カップ部材７７の下方周辺部にスリット状孔（円弧状切溝）８６を設け、同孔８６内に前記袋状入りワイヤー８３を挿入、支持するようにしてあり、更にスリット状孔（円弧状切溝）８６近辺は前記の如く、略垂直状の土台部８９により形成されているので、ワイヤー８３部分の肌触りが滑らかで着用感が向上するように構成されている。
【００２０】
次いで上記カップ体６２をモールド加工により、熱成型する手段について述べると、先ず裏側カップ部材７０の肌側生地７１及び裏側部材７２の素材として、カップ部８８と土台部８２を夫々有し、且つ平坦状に裁断された素材を準備する。次いで図９の如き肌側生地７１と裏側部材７２の素材を周知の手段で一体的にラミネートし、裏側カップ部材７０の素材を形成しておく。
【００２１】
次いで補強用中間カップ部材７５、７６及びワイヤー支持用中間カップ部材７７の３種類の裁断素材としては、適宜の硬質ポリウレタンフォーム（厚さが８ｍｍ、密度が２５ｋｇ／立方メートル）を準備し、且つカップ部７９及び土台部８９を有すると共に、平坦状に裁断した裁断素材を図１０の如く準備しておく。次いでこれら３種類の裁断素材と前記ラミネートされた裏側カップ部材７０とを一体的にラミネートするのである。更に、金型を用いてモールド加工により、カップ型に成型することにより、図１２のようにカップ部８８及び土台部８２からなる成型体９３が得られるのである。尚、同成型体９３を成型する際、ワイヤー支持用中間カップ部材７７に設けたスリット状孔（円弧状切溝）８６内に袋状入りワイヤー８３を挿入、支持した状態で、同時に一体的に成型を行うようにするのである。
【００２２】
次いで表側カップ部材６５の表側生地６６と表側素材６７を成型加工するための素材として適宜のポリエステル系合成繊維による生地と硬質ポリウレタンフォーム（厚さが８ｍｍ、密度が２５ｋｇ／立方メートル）による素材を夫々準備する。次いでカップ部６８並びに土台部８１の部位を有し、且つ平坦状に裁断した素材６６，６７を一体的にラミネートする。次いで図１２のように表側生地６６と表側素材６７のラミネート体をモールド加工により、成型することにより、カップ部６８並びに土台部８１を有する成型体９５が得られるのである。
【００２３】
次いで図１２の如く前記補強用中間カップ部材７５、７６及びワイヤー支持用中間カップ部材７７と裏側カップ部材８８を一体的に成型してなる前記の成型体９３と前記ポリエステル製生地による肌側生地６６と硬質ポリウレタンフォーム（厚さが８ｍｍ、密度が２５ｋｇ／立方メートル）による表側素材６７とを一体的に成型した成型体９５とを仮接着して周知の手段で重合、成型することにより、成型体９７が得られるのである。
【００２４】
次いで表側装飾用生地７８用の生地としてポリエステル系合成繊維による生地を準備し、且つカップ及び土台部の一体化された形状、大きさに裁断ずると共に、前記肌側生地７１よりも周辺部の大きさを若干大きくして裁断しておく。次いで図１３の如く表側装飾用生地７８をカップ部及び土台部が一体化された立体的な形状にモールド加工することにより、成型体９８が得られる。更に同成型体９８と前記成型体９７を重合、仮接着してモールド加工による成型加工を行うことにより、ブラジャー用カップ部と土台部が一体化されたカップ体６２が得られるのである
【００２５】
尚、本発明において、表側及び裏側カップ材の材質としては、硬質のポリウレタンフォームが好ましく、また材料（素材）の密度としては、１７〜３０ｋｇ／立方メートル）の範囲が好ましく、また材料（素材）の厚みとしては、２〜１０ｍｍの範囲が好適であり、上記密度及び厚み共に、上記の範囲外ではカップの材料の軽重又    
は材料の厚薄によってカップ体の品質や着用感を低下させる欠点があり、あまり好ましくないのである。またワイヤーの材質としては、スチール線や合成樹脂製の材質が好ましい。
【産業上の利用可能性】
【００２６】
本発明によるカップ体の適用範囲としては、ブラジャー以外にボデイスーツやカップ付きドレス、スリップ、水着等の各種衣類に容易に適用可能なものである。
【図面の簡単な説明】
【００２７】
【図１】本発明の第１実施例におけるブラジャーの概略正面図である。
【図２】本発明の第１実施例におけるブラジャーの概略背面図である。
【図３】図１のＸ−Ｘ断面における概略断面図である。
【図４】本発明の第１実施例におけるカップ体の重合用素材を配置、展開した展開図の概略平面図である。
【図５】本発明の第２実施例によるブラジャーのカップ体における概略断面図である。
【図６】本発明の第２実施例におけるカップ体の重合用素材を配置、展開した展開図の概略平面図である。
【図７】本発明の第２実施例におけるカップ体の一部切欠きによる概略背面図である。
【図８】本発明の第３実施例によるブラジャーのカップ体における概略断面図である。
【図９】本発明の第３実施例における裏側カップ部材の重合用素材を配置、展開した概略展開平面図である。
【図１０】本発明の第３実施例における裏側カップ部材及び補強用並びにワイヤー支持用中間カップ部材の重合用素材を配置、展開した概略展開平面図である。
【図１１】本発明の第３実施例における表側カップ部材の重合用素材を配置、展開した概略展開平面図である。
【図１２】本発明の第３実施例における表側カップ体と補強用並びにワイヤー支持用中間カップ部材及び裏側カップ部材による重合カップ体の重合用カップを配置した状態の重合説明用概略斜視図である。
【図１３】本発明の第３実施例において表側カップ部材、補強用並びにワイヤー支持用中間カップ部材及び裏側カップ部材による重合カップ体と表側装飾用生地によるカップ体を配置した状態の重合説明用概略斜視図である。
【符号の説明】
【００２８】
１    ブラジャー
２    カップ体
３    表側カップ部材
４    裏側カップ部材
５    土台部
９    ワイヤー
１１    表側装飾用生地  
１２    後身用ベルト
１８    表側カップ体
２０    裏側カップ体
【図１】
2006045713.tif 000003
【図２】
2006045713.tif 000004
【図３】
2006045713.tif 000005
【図４】
2006045713.tif 000006
【図５】
2006045713.tif 000007
【図６】
2006045713.tif 000008
【図７】
2006045713.tif 000009
【図８】
2006045713.tif 000010
【図９】
2006045713.tif 000011
【図１０】
2006045713.tif 000012
【図１１】
2006045713.tif 000013
【図１２】
2006045713.tif 000014
【図１３】
2006045713.tif 000015